(57)【特許請求の範囲】
【請求項１】
測点の計測座標値、測点に接続される測線の接続先測点、および測線間の交角情報を含むトラバース測量結果を格納し、前記各測点に対する誤差分配後の付与座標を参照可能な測量データ格納部と、
前記測量データ格納部から他の測点への複合接続がない測点を順次検索して処理対象から除外し、残余の測点を処理対象測点として抽出する前処理部と、
前記各処理対象測点の閉合誤差を演算する誤差算出部と、
測量領域を処理対象測点間を接続する測線により区画した測線網から最小面積単位の単位ポリゴンを抽出するポリゴン抽出部と、
各単位ポリゴンを構成する各測点の閉合誤差の最大値を誤差代表値として該当単位ポリゴンに付与するポリゴン誤差付与部と、
前記閉合誤差分配後の付与座標と測線とを単位ポリゴン毎に誤差代表値による区分を識別可能に表示部に表示する表示制御部と、
を有するトラバース測量結果表示装置。
【請求項２】
前記表示制御部は、閉合誤差値の範囲に色彩を対応させたカラーテーブルから選択した色彩によりポリゴンを色分けして表示部に表示する請求項１記載のトラバース測量結果表示装置。
【請求項３】
前記ポリゴン抽出部は、処理対象測点に他の処理対象測点から進入する進入測線に対して、該処理対象測点から他の処理対象点に退出する測線のうち、時計回り、あるいは反時計回りの予め定められたいずれか一方の回転方向に計測した角度が最小となる測線を退出測線として指定し、全ての処理対象測点に対する進入測線に一の退出測線を関連付ける関連測線抽出部と、
全処理対象測点に対し、処理対象測点に対する進入測線、該進入測線に対する退出測線、該退出測線に対応する処理対象測点を順次、検索後の処理対象測点が検索開始時の処理対象測点に一致するまで検索し、ポリゴン構成測線を抽出するポリゴン測線抽出部と、
ポリゴン測線抽出部において抽出された全ポリゴン構成測線の円順列による重複を除外した残余のポリゴン構成測線により構成されるポリゴンを処理対象ポリゴンとして出力する出力部とを有する請求項１または２記載のトラバース測量結果表示装置。
【請求項４】
測点の計測座標値、および測点に接続される測線の接続先測点を含むトラバース測量結果を格納し、前記各測点に対する閉合誤差分配後の付与座標を参照可能な測量データ格納部と、
前記計測座標値および閉合誤差分配後の付与座標の各々に基づく測点の表示部上における座標を演算する表示位置演算部と、
前記計測座標値および閉合誤差分配後の付与座標の各々に基づく測点を表示部の同一画面上に、双方が識別可能に表示する表示制御部とを有するトラバース測量結果表示装置。
【請求項５】
前記各測点の計測座標値、または閉合誤差分配後の付与座標値を、初期既知点を基準とする相対座標系から公共座標系に変換する座標変換部を有し、
前記表示制御部は、公共座標系により表示される測量領域以外の空間情報とともに各測点を表示する請求項１から４のいずれかに記載のトラバース測量結果表示装置。
【発明の詳細な説明】
【技術分野】
【０００１】
本発明はトラバース測量結果表示装置に関するものである。
【背景技術】
【０００２】
閉合誤差を調整可能なトラバース測量結果表示装置としては、従来、特許文献１に記載のものが知られている。この従来例において、基準点の点名や計測点の角度・距離などを測量現場で携帯電話に入力すると、サーバコンピュータへと送信され、基準点の登録されている座標を利用してサーバコンピュータにおいて閉合差（閉合誤差）が計算され、計算結果が携帯電話に送信されて表示される。
【０００３】
一般に測量に関しては、予め作業規定により閉合誤差の許容範囲が定められるために、上述のようにして算出された閉合誤差がこの許容範囲を超えると、再測しなければならなくなる。一方、閉合誤差が許容範囲内のときには、これを各測点に配分して閉合誤差を調整し、これにより測点の座標が最終決定される。
【先行技術文献】
【特許文献】
【０００４】
【特許文献１】特開２００３-３３７０２３号公報
【発明の概要】
【発明が解決しようとする課題】
【０００５】
しかしながら、測量成果として閉合誤差分配後の座標のみが提供されてしまった場合、内在している閉合誤差を事後的に確認することが困難になるという欠点がある。
【０００６】
本発明は以上の欠点を解消すべくなされたものであって、内在する閉合誤差を事後的に確認可能なトラバース測量結果表示装置の提供を目的とする。
【課題を解決するための手段】
【０００７】
本発明によれば、上記目的は、
測点１の計測座標値、測点１に接続される測線２の接続先測点１、および測線２、２間の交角情報を含むトラバース測量結果を格納し、前記各測点１に対する閉合誤差分配後の付与座標を参照可能な測量データ格納部３と、
前記測量データ格納部３から他の測点１への複合接続がない測点１を順次検索して処理対象から除外し、残余の測点１を処理対象測点１として抽出する前処理部４と、
前記各処理対象測点１の閉合誤差を演算する誤差算出部５と、
測量領域を処理対象測点１、１間を接続する測線２により区画した測線網から最小面積単位の単位ポリゴン７を抽出するポリゴン抽出部８と、
各単位ポリゴン７を構成する各測点１の閉合誤差の最大値を誤差代表値として該当単位ポリゴン７に付与するポリゴン誤差付与部９と、
前記閉合誤差分配後の付与座標と測線２とを単位ポリゴン７毎に誤差代表値による区分を識別可能に表示部１０に表示する表示制御部１１と、
を有するトラバース測量結果表示装置を提供することにより達成される。
【０００８】
本発明によれば、測量領域を処理対象測点１、１間を接続する測線２により区画した測線網から、測線２により囲まれた閉図形をなす最小面積単位のものが単位ポリゴン７としてポリゴン抽出部８により抽出される。各単位ポリゴン７にはポリゴン誤差付与部９により誤差代表値が付与され、この誤差代表値には、該当単位ポリゴン７を構成する各測点１の閉合誤差の最大値が採用される。
【０００９】
測量成果の表示制御部１１による表示部１０への表示は、閉合誤差を配分して付与される座標に測線２を配置してなされ、また、単位ポリゴン７毎に誤差代表値による区分を識別可能な態様でなされる。具体的には例えば、単位ポリゴン７の表示位置あるいはその近傍に誤差代表値を数値表示したり、あるいは、単位ポリゴン７を構成する測線２を誤差代表値の区分に応じて色分けしたり、異なる模様を付したりして表示することができる。
【００１０】
したがって、本発明によれば、表示部１０の表示を見ることにより、測量成果に内在する閉合誤差を事後的に確認することができ、例えば、この測量成果を利用して近隣地域への別の測量を進めるようなときには、閉合誤差の累積による位置精度の低下のおそれを的確に把握することが可能になる。
【００１１】
上述のように、誤差代表値の表示態様には数値等を利用することも可能であるが、上記表示制御部１１が、閉合誤差値の範囲に色彩を対応させたカラーテーブル１２から選択した色彩によりポリゴン７を色分けして表示部１０に表示することも可能であり、この場合には、ポリゴン７の面積に関する閉合誤差のおそれの程度をより直感的に把握することができる。誤差代表値の区分については、閉合誤差の大凡の量を把握しやすく、かつ、煩雑にならない程度の数に設定するのが望ましい。
【００１２】
また、上記ポリゴン抽出部８による単位ポリゴン７の抽出は、区画を構成する測線２の組合せを測量網内の全ての測線２を総当たりで検索してすることも可能であるが、上記ポリゴン抽出部８について、
処理対象測点１に他の処理対象測点１から進入する進入測線２に対して、該処理対象測点１から他の処理対象点に退出する測線２のうち、時計回り、あるいは反時計回りの予め定められたいずれか一方の回転方向に計測した角度が最小となる測線２を退出測線２として指定し、全ての処理対象測点１に対する進入測線２に一の退出測線２を関連付ける関連測線抽出部１３と、
全処理対象測点１に対し、処理対象測点１に対する進入測線２、該進入測線２に対する退出測線２、該退出測線２に対応する処理対象測点１を順次、検索後の処理対象測点１が検索開始時の処理対象測点１に一致するまで検索し、ポリゴン構成測線２を抽出するポリゴン測線抽出部１４と、
ポリゴン測線抽出部１４において抽出された全ポリゴン構成測線２の円順列による重複を除外した残余のポリゴン構成測線２により構成されるポリゴンを処理対象ポリゴンとして出力する出力部１５とを有して構成すれば、抽出効率が向上する。
【００１３】
なお、トラバース測量の閉合多角方式である閉合トラバース測量は、２つ以上の単位多角形により構成される測量網を設定し、トータルステーションによる測定により得られる辺長と広角を条件として新点の位置を算出するのが一般的であるが、辺長を巻尺により、また、広角に関しては磁針により辺の方位を測定して特定することも可能であり、このような測定方法を用いるいわゆるコンパス測量の成果を利用しても実現することができる。特に、コンパス測量が用いられることの多い森林測量では、見通しが悪く、閉合誤差が発生しやすいために、上述のように測量成果に内在する閉合誤差を事後的に確認できることが非常に有意義となる。
【００１４】
また、本発明に係るトラバース測量結果表示装置は、
測点１の計測座標値、および測点１に接続される測線２の接続先測点１を含むトラバース測量結果を格納し、前記各測点１に対する閉合誤差分配後の付与座標を参照可能な測量データ格納部３と、
前記計測座標値および閉合誤差分配後の付与座標の各々に基づく測点１の表示部１０上における座標を演算する表示位置演算部１６と、
前記計測座標値および閉合誤差分配後の付与座標の各々に基づく測点１を表示部１０の同一画面上に、双方が識別可能に表示する表示制御部１１とを有して構成することもできる。
【００１５】
測量成果に内在する閉合誤差を把握するためには、上述のように測量成果を表示する際に、これに内在する閉合誤差をポリゴン単位で数値や色彩などにより表現するほか、閉合誤差付与前後の双方の座標で測点１を識別可能に同時表示しても足りる。この場合、閉合誤差の全体の傾向を感覚的に理解することができ、また、測量成果に内在する閉合誤差をより詳細に把握することができる。
【００１６】
さらに、前記各測点１の計測座標値、または閉合誤差分配後の付与座標値を、初期既知点を基準とする相対座標系から公共座標系に変換する座標変換部１７を有し、
前記表示制御部１１は、公共座標系により表示される測量領域以外の空間情報とともに各測点１を表示した場合には、森林測量の際に測量位置を把握する際の手助けになる。上記空間情報としては、例えば地形図等を利用することができる。
【発明の効果】
【００１７】
以上の説明から明らかなように、本発明によれば、内在する閉合誤差を事後的に確認可能なトラバース測量結果表示装置を提供することができ、例えば森林測量の作業効率を向上させることが可能になる。
【図面の簡単な説明】
【００１８】
【図１】本発明に係るトラバース測量結果表示装置のハードウェア構成図である。
【図２】データ処理後の表示画面の一例を示す図である。
【図３】トラバース測量データ処理の概略的なフローチャートである。
【図４】測線グループの抽出処理、および閉合誤差の算出、調整処理のフローチャートである。
【図５】ポリゴンの抽出処理のフローチャートである。
【図６】測点、測線に係るデータを示す図で、（ａ）は入力データを示す図、（ｂ）は入力データに基づいて作成されたデータベースを示す図、（ｃ）は閉合誤差調整等のデータ処理を反映して作成されるデータベースを示す図である。
【図７】データ処理内容を図解により説明したもので、（ａ）は入力データのイメージ図、（ｂ）は測線のグループ化処理の第一段階であるＤＡＮＧＬＥ測線の除去処理を終えたときのイメージ図である。
【図８】測線のグループ化処理の第二段階であるグループ判定処理の内容を図解により説明したもので、（ａ）は既知点に基づく第一次のグループ判定処理の内容を説明するイメージ図、（ｂ）は第一次のグループ判定処理の結果に基づく第二次のグループの判定処理の内容を説明するイメージ図である。
【図９】測線のグループ化処理の第二段階、および閉合誤差の算出、調整処理の内容を図解により説明したもので、（ａ）は測線のグループ化処理の第二段階での再計測指示の表示画面の一例を示す図、（ｂ）は閉合誤差の算出、調整処理での再計測指示の表示画面の一例を示す図である。
【図１０】ポリゴンの抽出処理の内容を図解により説明したもので、（ａ）はデータ処理前の初期データを示すイメージ図、（ｂ）は一次処理である測点毎の進入測線と退出測線の組合せ抽出処理の内容を説明する図である。
【図１１】ポリゴンの抽出処理の内容を説明したもので、（ａ）は一次処理結果を示すイメージ図、（ｂ）は二次処理であるポリゴン構成測線の抽出処理の結果を示すイメージ図である。
【図１２】ポリゴンの抽出処理の一次処理内容の全容を図解により説明したイメージ図である。
【図１３】表示処理の内容を説明する図で、表示処理結果の代表例を示すイメージ図である。
【図１４】表示処理の内容を説明する図で、（ａ）は他の表示処理結果の一例を示すイメージ図、（ｂ）はさらに他の表示処理結果の一例を示すイメージ図である。
【図１５】入力データを説明する図で、（ａ）は初回の入力データを示す図、（ｂ）は再測量後の入力データを示す図である。
【発明を実施するための形態】
【００１９】
図１ないし図１３に本発明に係るトラバース測量結果表示処理の実施の形態を示す。この実施の形態は森林測量データを処理するもので、トラバース測量結果表示装置は、図１に示すように、中央演算処理装置からなる制御部２０、メモリからなる記憶部２１、キーボードやディスクドライブ等からなる入出力部２２、およびＬＣＤからなる表示部１０を備えたノートパソコンやタブレットコンピュータ等の携帯可能なコンピュータにより構成される。
【００２０】
上記記憶部２１は、上述の森林測量データをデータベース化して格納する測量データ格納部３と、上記森林測量データに対して後述する閉合誤差調整等を反映した上でデータベース化して格納する調整データ格納部２３、および閉合誤差の程度に応じて色分け表示用の色彩を対応付けたカラーテーブル１２を有する。上記森林測量データは、いわゆるコンパス測量によりコンパス等を用いて測定をするこの実施の形態においては、野帳に転記した測量内容をキーボード入力等することによりトラバース測量結果表示装置に取り込まれる。なお、測量をトータルステーションを用いてした場合には、トータルステーションのデータ出力機能を利用してデータをトラバース測量結果表示装置に取り込むことも可能である。
【００２１】
上記測量内容は、具体的には、図６（ａ）にイメージとして示すように、測線２毎に、そのＩＤ（測線名）、その終始点の点名、方位角、仰俯角、斜距離等により構成される。その測量内容は、既知点（初期既知点）を基準とする相対座標や、磁北を基準とする方位角により特定される。
【００２２】
一方、上記測量データ格納部３内には、図６（ｂ）に示すように、上述の測定内容が公共座標により登録される。この測量データ格納部３内では、測線２と測点１が各々データベース化され、これらのデータベースには、上述の測定内容に加え、測点１の座標値や初期既知点であるか否か、さらには図示を省略するが、測線２のＸＹＺ座標上の各々の距離、測点１が所属する測線２、この測線２により接続される他の測点１の点名、測線２の真北を基準にした方位角、測線２、２間の交角も登録される。森林測量データを処理対象とするこの実施の形態においては、測量領域に繁茂する植物によってＧＰＳ信号の受信が容易にはできないために、測量網中に単一の既知点のみが初期既知点として含まれる。
【００２３】
また、調整データ格納部２３内では、図６（ｃ）に示すように、上述の測量データ格納部３と同様に測線２と測点１が各々データベース化されるとともに、これらに加えて、測線グループ３２やポリゴンについてもデータベース化される。これらのデータベースには、測線グループ３２やポリゴンのＩＤ、測線グループ３２を構成する測線２のリストや、測線グループ３２に含まれる測点１のリスト、測線グループ３２の閉合誤差の代表値、さらにはポリゴンの属性情報として、当該ポリゴンを構成する測線グループ３２のＩＤ、その面積や周囲長、重心座標、その下刈りや枝落としの時期、ポリゴンを構成する測線グループ３２の閉合誤差の代表値等が登録される。
【００２４】
上記カラーテーブル１２は、測量精度に応じて閉合誤差値を範囲分けした閉合誤差範囲が、各範囲に異なる色彩を対応付けて格納される。閉合誤差範囲には、具体的には例えば図２に示すように、-１、０．０５以上、０．０５から０．０３まで、０．０３から０．０２まで、０．０２から０．０１まで、０．０１以下を設定することができる。
【００２５】
また、上記トラバース測量結果表示装置は、上述した制御部２０により制御されて動作する座標変換部１７、データ登録部２４、前処理部４、グループ抽出部２５、測線評価部２６、ポリゴン抽出部８、ポリゴン誤差付与部９、表示位置演算部１６、表示制御部１１、属性付与部２７、および求積部２８を有し、これらにより図示省略の演算部が構成される。
【００２６】
上記座標変換部１７は、上述したように相対座標からなる測量内容を測量データ格納部３内に登録される公共座標に変換するもので、測量の出発点である初期既知点の公共座標値に基づき、各測点１の座標値等を相対座標から地理座標に変換する。
【００２７】
上記データ登録部２４は、上述した測量データ格納部３内に測量内容等をデータベース化して登録するもので、上述のように測定内容には含まれていない測点１の座標値や測線２、２間の交角を測定内容に基づいて算出したり、初期既知点であるか否かを登録したり、方位角を磁北から真北へと補正等したりもする。
【００２８】
上記前処理部４は、測量データ格納部３内のデータから上述した閉合誤差調整の対象を絞り込むもので、測点１のデータベースを検索し、所属する測線２を介して接続される他の測点１を複数有しない測点１を処理対象から除外し、残余の測点１を処理対象測点１として抽出する。この前処理部４は、抽出結果を上述した調整データ格納部２３内の測線２データベースに登録する。また、処理対象から除外する測点１が初期既知点である場合には、これが所属する測線２の他の測点１を新たに既知点に設定する。
【００２９】
上記グループ抽出部２５は、前処理部４により抽出された処理対象測点１を利用して、閉図形を形成する測線グループ３２を抽出する。測線グループ３２の抽出は、既知点から予め定められた回転方向に測線２を他の既知点に達するまでたどってなされ、上述のように前処理部４により初期既知点が処理対象から除外された場合には、この除外処理に伴って前処理部４により新たに設定された既知点が最初の出発点とされ、ここから測線２を所定の回転方向に順次たどり、閉図形を構成するようにして出発点に戻ると、この閉図形の構成測線２を測線グループ３２として抽出する。
【００３０】
また、上記グループ抽出部２５は、後述のように測線評価部２６が新たに既知点を追加することにより、追加された既知点を新たな出発点として抽出処理を繰り返すことによって、測線グループ３２の複数を抽出することができる。２回目以降の抽出の際には、既知点が複数存在するために、測線グループ３２は出発点と到着点をそれぞれ異なる既知点とする結合トラバースを構成し、その構成測線２が抽出される。測線グループ３２の抽出を終えると、グループ抽出部２５は、調整データ格納部２３内の測線グループデータベースに対し、抽出した測線グループ３２のＩＤ、その構成測線２、その構成測点１を登録する。
【００３１】
上記測線評価部２６は、グループ抽出部２５により抽出された測線グループ３２の閉合誤差を評価し、その程度に応じて再計測の指示、あるいは閉合誤差を配分して測線グループ３２内の測点１を既知点にする。この測線評価部２６は、閉合誤差を算出する誤差算出部５と、閉合誤差の程度が小さい場合に測線グループ３２内の測点１を既知点にする座標付与部３０と、再計測の指示をする交差検出部３１とを有する。
【００３２】
上記誤差算出部５は、上述の測線グループ３２に関する閉合誤差を算出する。この閉合誤差の算出は、座標についてのもので、例えば、到着点である既知点の既知座標値と、出発点からの測点１を経由した複数回の計測によって導かれる到着点の測量座標値との差について、出発点から到着点までの総距離に対する割合を求めることによりなされる。
【００３３】
上記座標付与部３０は、誤差算出部５により算出された閉合誤差が所定の閾値を超えない場合には、その閉合誤差を配分して測線グループ３２の各測点１に座標を付与し、該座標付与点を既知点とする。一方、閉合誤差が閾値を超える場合には、当該測線グループ３２の再計測の指示を出力する。例えばこの実施の形態においては、上記閾値には０．０５、すなわち閉合誤差が５％を超えたときに再計測の対象とされる。また、以上の処理を終えたら、座標付与部３０は、調整データ格納部２３内の測点１データベースに対し、測点１のＩＤ、付与座標値、座標付与点が既知点であるか否かを登録する。
【００３４】
なお、調整データ格納部２３内の測線２データベースは、以上の座標付与部３０による登録がなされると、この登録内容に従って上述したデータ登録部２４により測点１の座標値等の各項目が登録される。登録に際し、データ登録部２４は、測線２に付与された新たな座標に基づいて測線２の方位角や仰俯角、斜距離、ＸＹＺ座標上の各々の距離、および測線２、２間の交角を算出する。また、測線グループ３２に含まれる各測点１の閉合誤差のうち、最大のものを当該測線グループ３２についての閉合誤差の代表値として登録する。
【００３５】
上記交差検出部３１は、座標付与部３０による閉合誤差配分が全ての測線グループ３２に対してなされた結果、異なる測線グループ３２、３２間で測線２、２同士の交差が生じているか否かを判定し、交差が生じている場合に再計測の指示を出力する。交差の判定は、この種の適宜の既存のアルゴリズムを利用してすることができる。
【００３６】
ポリゴン抽出部８は、以上のようにして既知点で構成された測線グループ３２の複数により構成される測線網から、最小単位の閉図形を構成するポリゴンである単位ポリゴン７を抽出する。このポリゴン抽出部８は、上述の処理対象測点１を終始点とする測線２を抽出する関連測線抽出部１３と、抽出した測線２を組み合わせて単位ポリゴン７を構成するポリゴン構成測線２を抽出するポリゴン測線抽出部１４と、ポリゴン構成測線２により構成される単位ポリゴン７を処理対象のポリゴンとして出力する出力部１５とを有する。
【００３７】
上記関連測線抽出部１３は、処理対象測点１に他の処理対象測点１から進入する進入測線２に対して、該処理対象測点１から他の処理対象点に退出する測線２のうち、時計回り、あるいは反時計回りの予め定められたいずれか一方の回転方向に計測した角度（交角）が最小となる測線２を退出測線２として指定し、全ての処理対象測点１に対する進入測線２に対して、一の退出測線２、言い換えれば特定の単一の退出測線２を関連付ける。上述のように処理対象測点１を抽出の際の基準にした上で、回転方向を特定することにより、回転方向の違いによる測線２の重複検出が防がれ、また、進入測線２と退出測線２の交差角度として最小のものを選択することにより、最小面積の単位ポリゴン７に対応する測線２が漏れなく検出される。
【００３８】
上記ポリゴン測線抽出部１４は、全処理対象測点１に対し、処理対象測点１に対する進入測線２、該進入測線２に対する退出測線２、該退出測線２に対応する処理対象測点１を順次、検索後の処理対象測点１が検索開始時の処理対象測点１に一致するまで検索し、ポリゴン構成測線２を抽出する。上述同様、処理対象測点１を抽出の際の基準にした上で、同一の処理対象測点１に至るまで測線２、測点１の組み合わせを検索することにより、上述の進入・退出測線２の複数を組み合わせて構成される全てのポリゴンを網羅するポリゴン構成測線２が漏れなく検出される。
【００３９】
上記出力部１５は、全ポリゴン構成測線２の円順列による重複を除外した残余のポリゴン構成測線２により構成されるポリゴンを処理対象ポリゴンとして出力する。上述のように処理対象測点１を基準にして進入・退出測線２を抽出したことにより、ポリゴン構成測線２は同一のポリゴンに対し、その処理対象測点１の数だけ重複して検出される。このため出力部１５は、このような重複をなくし、各ポリゴンに単一のポリゴン構成測線２を対応付ける。また、以上の処理を終えたら、出力部１５は、調整データ格納部２３内のポリゴンデータベースに対し、ポリゴンのＩＤ、および属性情報としてポリゴン構成測線２が属する測線グループ３２のＩＤを登録する。異なる測線グループ３２に属する測線２を組み合わせてポリゴン構成測線２が構成される場合、測線グループ３２のＩＤは複数登録される。
【００４０】
上記ポリゴン誤差付与部９は、ポリゴン抽出部８により抽出された単位ポリゴン７に誤差代表値を付与する。この誤差代表値は、単位ポリゴン７のポリゴン構成測線２が属する測線グループ３２の閉合誤差の代表値であり、調整データ格納部２３内の測線グループデータベースを参照して閉合誤差の代表値を対応する単位ポリゴン７と関連付けてポリゴンデータベースに属性情報として登録する。上述のように単位ポリゴン７に複数の測線グループ３２のＩＤが登録されている場合、単位ポリゴン７における閉合誤差の代表値には、例えば、その中での最大値を登録することができる。
【００４１】
上記表示位置演算部１６は、上述した表示部１０への表示に際し、その表示位置をスクリーン座標により設定するもので、上述した測点１、測線２、ポリゴンの地理座標をスクリーン座標に変換し、その表示位置を設定する。この地理座標には、調整データ格納部２３内のデータのみならず、測量データ格納部３内のデータ、すなわち閉合誤差の調整前のものも対象にすることができる。
【００４２】
上記表示制御部１１は、上述の表示部１０への表示に際し、その表示の内容や態様を制御する。この表示制御部１１は、上述の表示位置演算部１６による演算結果を利用し、閉合誤差の調整前後での測線グループ３２の公共座標位置の変化を比較しやすいように色分けして重畳表示する誤差表示部３３と、上述のカラーテーブル１２を参照し、単位ポリゴン７についての閉合誤差の代表値に応じた色彩で単位ポリゴン７を色分け表示する色分け表示部３４を備える。また、例えば、測点１や測線２、単位ポリゴン７の表示だけでなく、測点１の計測座標値や閉合誤差調整後の座標値、単位ポリゴン７の属性情報をも合わせて表示させたり、あるいは、測点１や単位ポリゴン７にこれらの情報をリンクさせることもできる。また、上述のように単位ポリゴン７にリンクを設定する場合には、単位ポリゴン７の図心位置に図心表示をした上で、ここにリンクのためのクリッカブルエリアを設定することもできる。
【００４３】
また、上記表示制御部１１は、再計測の指示に関しては、閉合誤差が閾値を超えている測点１や、交差が検出された測線２を色分け等により強調表示させることができる。さらに、測点１等の表示に対し、その公共座標により位置合わせして地形図等複数の地図を重畳表示させることもできる（図９参照）。
【００４４】
上記属性付与部２７は、調整データ格納部２３内のポリゴンデータベースに単位ポリゴン７と関連付けて各種の属性情報を登録する。この属性情報には、単位ポリゴン７の周囲長や図心位置といったものも含まれており、属性付与部２７は、測線２データベース等を参照してこれらを算出等した上で登録する。
【００４５】
上記求積部２８は、単位ポリゴン７の面積を算出するものであり、この種の適宜の既存のアルゴリズムを利用して演算される。また、演算した面積は、上述の属性付与部２７を介してポリゴンデータベースに属性情報として対応する単位ポリゴン７と関連付けて登録される。
【００４６】
以上のトラバース測量結果表示装置を用いたデータ処理の流れを以下に説明する。データ処理は、図３に示すように、森林測量の成果を入出力部１５２２を介して入力することにより始められる（ステップＳ１）。上述のようにノートパソコン等により構成されるトラバース測量結果表示装置は、測量現場に持ち込まれ、上述のデータ入力に先立って数点から数十点の測点１に対する森林測量がなされる。入力データは、例えば１日から数日分の相対座標系の測量成果を対象にしてなされ、初期既知点の公共座標を含めることができる。
【００４７】
この入力データには、具体的には例えば、図１５（ａ）に枠で囲って示すように、測量データが測線２毎、言い換えれば測量作業単位毎に適宜のファイル形式でファイル化されたものを使用することができる。また、後述する再測量時の処理を効率化するために、各ファイルには、測量作業時期の前後を識別可能な名称を付与することができる。図１５（ａ）に示す「０８１２」のフォルダに格納される４点のファイルの名称は、２０１３年８月１２日になされた測量において、同日に１番目から４番目までの順番でなされたことを示すもので、その右側には実際に記録されているデータ内容を示したものである。また、同図下方に示すフォルダは、２０１３年８月１２日、１３日、１９日、２１日、および同年９月１８日の各日の測量データファイルを格納するもので、"ｉｎｉｔ"ファイルは初期既知点の公共座標を記録したものである。
【００４８】
データ入力を受け付けたトラバース測量結果表示装置は、まず最初に初期処理を行う（ステップＳ２）。初期処理では、初期既知点に対する相対座標系から公共座標系へと座標変換部１７により変換することができる。この初期処理を終えたら、座標変換後の測量成果がデータ登録部２４により測量データ格納部３内にデータ登録され、測線２や測点１のデータベースが構築される（ステップＳ３）。
【００４９】
次いで、測量データ格納部３内のデータを利用して測線グループ３２が抽出される（ステップＳ４）。測線グループ３２の抽出処理は、まず最初に、前処理部４により処理対象測点１を抽出することから始まる。処理対象測点１の抽出は、図４に示すように、始点あるいは終点の重複数が１である測線２（ＤＡＮＧＬＥ測線）を検出してなされ（ステップＳ４-１）、ＤＡＮＧＬＥ測線２が検出されると、初期既知点を含むものであるかどうか判定する（ステップＳ４-２）。
【００５０】
判定の結果、初期既知点を含む場合には、接続先の測点１を新たに既知点に設定する（ステップＳ４-３）。さらに、当該ＤＡＮＧＬＥ測線２を処理対象から除外する（ステップＳ４-４）。一方、初期既知点を含まない場合には、単にＤＡＮＧＬＥ測線２を処理対象から除外する（ステップＳ４-４）。以上のようにして検出したＤＡＮＧＬＥ測線２に対する処理を終えたら、このようなＤＡＮＧＬＥ測線２が検出されなくなるまで検出作業を繰り返す（ステップＳ４-５）。
【００５１】
図７は以上の処理対象測点１の抽出処理を図解によりイメージ化したもので、黒丸は測点１を、線分は測線２を、黒丸の近傍に位置する丸で囲った数字は測点１の番号を、線分の長手方向中央部分に位置する数字は測線２の番号を示し、二重丸で囲った数字は既知点であることを示す。図７（ａ）は処理前の状態であり、１番のみが唯一の既知点（初期既知点）であり、閉図形を構成しない１番の測線２、２番の測線２、１５番の測線２、および１６番の測線２の４本のＤＡＮＧＬＥ測線２を含む。一方、図７（ｂ）は処理後の状態であり、上述の閉図形を構成しない４本のＤＡＮＧＬＥ測線２はなくなり、また、３番の測点１が新たに既知点に設定されている。
【００５２】
なお、３番の測点１の既知点化は、まず最初に、１番の既知点（初期既知点）において他の測線２との重複がなく、始点あるいは終点の重複数が１となる１番の測線２が除外され、これに伴って２番の測点１が新たに既知点にされるが、続いて２番の既知点において他の測線２との重複がない２番の測線２が除外され、これに伴って３番の測点１が新たに既知点にされる。一方、３番の既知点は、３番の測線２と６番の測線２が重複するため、これにより測線２が除外されることはない。
【００５３】
以上のようにして処理対象の測線２が抽出されたら、グループ抽出部２５により、既知点から時計回りに最小交角で再度既知点に至る測線２の組み合わせをグループ化する（ステップＳ４-６）。単一の既知点を基端にして森林測量をしたこの実施の形態において、測線グループ３２の抽出処理は、この既知点を含む最小面積の閉図形を構成する測線２の組み合わせをグループ化することから始まる。また、以後においては、閉合誤差の算出、調整処理（ステップＳ５）と同時並行して測線グループ３２の抽出処理（ステップＳ４）が進められる。
【００５４】
先ず、上述のように最初のグループ化処理を終えたら、その閉合誤差を誤差算出部５により算出した上（ステップＳ５-１）、算出された閉合誤差が閾値を超過しているかどうかを座標付与部３０より判定し（ステップＳ５-２）、超過していない場合には、閉合誤差を調整した上、測線グループ３２に含まれる測点１を既知点にする（ステップＳ５-３）。一方、閉合誤差が閾値を超過している場合には、再計測指示を表示部１０に表示して全てのデータ処理を終了する（ステップＳ５-５）。再計測は、以上のデータ処理が外業においてなされることにより、直ちに着手することができる。なお、上述のように閉合誤差を算出したときには、座標付与部３０はその座標を調整データ格納部２３内に記録する。
【００５５】
以上の一連の測線グループ３２の抽出処理は、上述のようにグループ化に伴って新たに既知点が増加することにより、処理対象の測線２に含まれる測点１が全て既知点になるまで繰り返される（ステップＳ４-７）。図８はこの処理の流れをイメージ化したもので、実線で示す測線２がグループ化の対象であり、（ａ）に示すように最初のグループ化処理により、閉合トラバースを形成する３番の測線２、４番の測線２、５番の測線２、および６番の測線２が測線グループ３２を構成する。図８（ｂ）は、２番目のグループ化処理を示すもので、この際には結合トラバースを構成する７番の測線２、８番の測線２、および９番の測線２が新たに測線グループ３２になる。
【００５６】
このようにしてグループ化処理が完了したら、異なる測線グループ３２に属する測線２、２同士が測点１以外で交差しているかどうかを判定し（ステップＳ５-４）、交差が見つからなかった場合には、そのまま閉合誤差の算出、調整処理を終了し、交差が見つかった場合には、再計測指示を表示部１０に表示して閉合誤差の算出、調整処理だけでなく全てのデータ処理を終了する（ステップＳ５-５）。
【００５７】
図９は測線２、２同士の交差が見つかる場合の例を示すもので、（ａ）は、１５４番の測点１からの計測作業時に計測対象を５４６番の測点１とすべきところ、誤って５４５番の測点１にしてしまったという勘違いによるものを示す。一方、（ｂ）は、図７（ａ）に示す測量成果の段階では交差がないものの、その後の閉合誤差の調整により１７番の測線２と１８番測線２が交差することになってしまったものを示している。これらの図に示すように、上述の再計測指示の表示画面には、交差する測線２が太字等で強調表示される。
【００５８】
また、図１０（ａ）は閉合誤差の算出、調整処理（ステップＳ５）が完了したときの測点１等の状態をイメージ化したものである。図７（ｂ）に示す測線グループ３２の抽出処理（ステップＳ４）前においては、既知点が３番の測点１のみで、また、同一番号の測点１についても閉合誤差により位置のばらつきがあり、全ての測線２が両端の測点１において連結される位置関係になかったが、この時点では測点１の全てが既知点とされ、測点１の位置のばらつきも解消されて全ての測線２が両端の測点１において連結される位置関係になっている。
【００５９】
加えて、図１５（ｂ）は、上述した再測量後の入力データを示すもので、再測量日である１０月４日のフォルダ内には、同日を示す名称が付与されたファイルが格納され、このファイルには、再測量により得られた測量データが記録される。この再測量後の入力データは、再測量前の全入力データに再測量データを付加して構成され、再測量の原因となった不適当な測量データも含む。このため、上述したデータ登録部２４は、入出力部１５２２から以上のデータ入力がなされると、測量データ格納部３内へ格納する際に、ファイル名称から測量作業時期の前後を判別し、同一の測線２についての重複する測量データに関して後書き優先の処理をする。これにより、測量データ格納部３内には、測量作業時期がより早い不適当な測量データが格納されることなく、測量作業時期のより遅い再測量データのみが格納される。再測量後の入力データは、この後、通常の測量データと同様に処理されることにより、再測量成果を反映した処理結果を得ることができるようにされる。
【００６０】
さらに、上述のようにして閉合誤差の調整が完了したら、続いてポリゴン抽出部８によりポリゴンの抽出処理が進められる（ステップＳ６）。ポリゴンの抽出処理は、先ず最初に、関連測線抽出部１３により測点（ノード）１毎に進入・退出測線２の組合せを抽出することから始まる（ステップＳ６-１）。図１０（ｂ）はこの処理内容を示すもので、測点１へと進入する測線２を進入測線２、当該測点１から退出する測線２を退出測線２として定義した上、例えば４番の測点１が進入測線２として５番の測点１に進入した場合を一例として説明したものである。この場合、５番の測点１からの退出測線２は、進入測線２である４番の測線２を除き、５番の測線２、１０番の測線２、および９番の測線２の合計３測線２が候補として抽出できる。
【００６１】
次いで、進入測線２と退出測線２の組合せが、時計回りに交角が最小の一対からなるかどうかが判定される（ステップＳ６-２）。この判定は、図１０（ｂ）に示すように、退出測線２が５番の測線２であると交角はθ１、１０番の測線２であると交角はθ２、および９番の測線２であると交角はθ３であることから、最小交角であるθ１に対応する５番の測線２が退出測線２に決定される。このような判定結果に基づいて絞り込みを終えたら（ステップＳ６-３）、図１１（ａ）に示す進入測線２と退出測線２の組合せが抽出される。図１２は以上の組合せ抽出をイメージ化したもので、測量網内部の個々のポリゴンを構成可能な進入・退出測線２が時計回りで交角最小の判定により検出される。
【００６２】
この後、以上のようにして抽出した進入測線２と退出測線２を組み合わせ、ポリゴン測線抽出部１４により、区画（ポリゴン）を構成する測線２の組合せの全てを抽出する（ステップＳ６-４）。この抽出は、処理対象測点１を起点として測線２を巡回して同一の処理対象測点１に至るまでの経路を検索して行うことができ、時計回りや反時計回り、交角の最小、最大の条件を組み合わせることにより、経路探索に用いる適宜の既存のアルゴリズムを利用してすることができる。図１１（ｂ）にその抽出結果を示す。
【００６３】
また、この抽出結果では、区画を構成する測線２の組合せが処理対象測点１毎に算出され、区画が重複検出されてしまうために、次いで、重複する組合せを処理対象から除外すれば（ステップＳ６-５）、区画を構成する測線２、すなわちポリゴン構成測線２の抽出が完了する。
【００６４】
さらに、以上のようにしてポリゴン構成測線２を抽出したら、求積部２８によりポリゴンの面積が算出されるとともに、属性付与部２７によりポリゴンの周囲長や図心位置が算出される（ステップＳ６-６）。また、ポリゴン誤差付与部９により、ポリゴン内に含まれる全ての測点１の閉合誤差を検索してポリゴンの閉合誤差の代表値が決定される。
【００６５】
加えて、この実施の形態においては、測量網の外縁により構成されるポリゴンには属性情報を設定しないことから、ここで反時計回りの測線グループ３２を構成するポリゴン構成測線２を処理対象から除外した上（ステップＳ６-７）、出力部１５により残余のポリゴン構成測線２により構成される単位ポリゴン７を作成し、また、この単位ポリゴン７に対し、求積部２８や属性付与部２７が面積や周囲長等を、また、ポリゴン誤差付与部９により単位ポリゴン７の閉合誤差の代表値を属性情報として設定すれば（ステップＳ６-８）、ポリゴン抽出処理が完了する。なお、キーボードを操作して属性付与部２７により単位ポリゴン７に新たな属性情報を追加することも可能であり、森林管理のための森林測量を行うこの実施の形態においては、下刈りや枝落としなどの林班等に応じた作業領域がポリゴン化されることにより、その属性情報にこれらの作業時期を登録し、作業の進捗状況を単位ポリゴン７の位置情報とともに管理する。また、上述のポリゴン構成測線２の絞り込みは、測線グループ４の抽出に際して時計回りを正数、反時計回りを負数として処理する既存のアルゴリズムによることが可能である。
【００６６】
最後に、以上の処理結果に基づいて表示処理（ステップＳ７）を行い、表示部１０に処理結果を表示すれば、データ処理が完了する。表示処理は、表示制御部１１により公共座標系を適宜縮尺して上述した単位ポリゴン７を表示部１０に表示したり、測点１と測線２を表示したり、あるいはカラーテーブル１２を参照してこれらに閉合誤差の代表値に応じた色彩を付与してすることができる。
【００６７】
図２は表示画面の一例であり、測点１、測線２、および単位ポリゴン７を表示し、また、単位ポリゴン７に閉合誤差の代表値に応じた色彩を付与したものである。この表示では、閉合誤差の程度に応じて単位ポリゴン７が色分け表示される。また、図１３は、測点１の近傍にそれぞれの閉合誤差の代表値の表示を追加するとともに、二点鎖線で示す単位ポリゴン７の重心位置に単位ポリゴン７の属性情報にリンクされたクリッカブルエリアを追加したものである。
【００６８】
また、図１４（ａ）は、上述の単位ポリゴン７に代えて測点１に対して閉合誤差に応じた色彩を付与したもので、さらに、図１４（ｂ）は、測点１と測線２を閉合誤差の調整前後の地理座標に基づいて色分けして重畳表示したものである。また、このほかにも例えば、上述した下刈りや枝落としのそれぞれの実施状況に応じて単位ポリゴン７を色分け表示することも可能である。
【００６９】
なお、以上の実施の形態においては、森林管理での用途がないために測量網の外縁の閉図形をポリゴン化しない場合を示したが、対応するポリゴン構成測線２の除外処理（ステップＳ６-８）を省くことにより、ポリゴンの作成や属性情報の設定をすることも可能である。
【符号の説明】
【００７０】
１  測点
２  測線
３  測量データ格納部
４  前処理部
５  誤差算出部
７  単位ポリゴン
８  ポリゴン抽出部
９  ポリゴン誤差付与部
１０  表示部
１１  表示制御部
１２  カラーテーブル
１３  関連測線抽出部
１４  ポリゴン測線抽出部
１５  出力部
１６  表示位置演算部
１７  座標変換部
【図１】
0006655439.tif 000002
【図２】
0006655439.tif 000003
【図３】
0006655439.tif 000004
【図４】
0006655439.tif 000005
【図５】
0006655439.tif 000006
【図６】
0006655439.tif 000007
【図７】
0006655439.tif 000008
【図８】
0006655439.tif 000009
【図９】
0006655439.tif 000010
【図１０】
0006655439.tif 000011
【図１１】
0006655439.tif 000012
【図１２】
0006655439.tif 000013
【図１３】
0006655439.tif 000014
【図１４】
0006655439.tif 000015
【図１５】
0006655439.tif 000016